(57)【要約】多目的整形外科歩行器（３２）であって、これは、間隔を置いて配置された上部表面および下部表面ならびに上に向けて延びるスロット化されたストラット支持を有する高い強度で設計されたプラスチック基部を備える。この基部は、側面かつ垂直にコアを抜かれ得、コア開口部の上で上方に延びる外側の底部に、リッジされて基部中の周縁溝に適合し、滑らかな外側表面を提供する、外側の底部の上部縁を備える。異なる長さのストラット（３６）が提供され、そして全てのストラットは、基部と連結するための同一の配置を有する。全てのストラット（３６）は、ストラットを基部に３重にロックする、３つのプロングされた構築物を備え得る。このストラットは、異なるサイズの患者を収容する可撓性の旋回点または旋回領域を提供する減少した断面の領域を有し得、そして制限止め具が、適切な整形外科支持を保証するために提供され得る。
2005533558.tif 000002
【特許請求の範囲】
【請求項１】
患者の下腿に取り付けるための多目的整形外科歩行器であって、以下：
高い強度の材料の歩行器基部であって、該歩行器が、
該歩行器基部の対向する側から上方に延びる２つのストラットを備え、
該基部が、患者の足を受けるための中央の高められた領域および外側の底または外底を受けるための間隔を置いて配置されるより低い実質的に連続する表面を有する、歩行器基部；ならびに
該ストラット支持上に各々取り付けられる第１のストラットおよび第２のストラットを備え、該ストラットが、少なくとも第１の領域および第２の領域において所定の厚みを有し、該ストラットが、変動する解剖学的形態を有する患者を収容するための該第１の領域と該第２の領域との間の該ストラットの実質的に減少した厚みを含む可撓性の構造的配置を備える、ストラット
を備える、歩行器。
【請求項２】
請求項１に記載の多目的整形外科歩行器であって、前記ストラットが、該ストラットの低い抵抗の最初の撓みを可能にするための減少した厚みの領域および所定量の角度の偏向に続く撓みに対する耐性を実質的に増加させるための止め具を備える、歩行器。
【請求項３】
請求項１に記載の多目的整形外科歩行器であって、前記ストラットが、中央部分を有し、そして側面に延びる側面ウィングを有し、そして前記減少した厚み領域が、該ストラットの該中央部分に対する該側面ウィングの撓みを可能にする実質的に垂直に延びる一体のヒンジである、歩行器。
【請求項４】
請求項１に記載の複数の多目的整形外科歩行器であって、該全ての歩行器の基部および外底が、実質的に同じであり、そしていくつかの歩行器が、前記患者のふくらはぎまで実質的に延びる長いストラットを備え、他の該歩行器が、該患者の下腿を半分未満まで延びる短いストラットを備え；そして各々の該歩行器の該ストラット−基部取り付け機構が、実質的に同じである、歩行器。
【請求項５】
請求項１に記載される多目的整形外科歩行器であって、
前記基部が、該基部の周縁の実質的に周りに延びる周縁の内側に向けられた溝を有し；該基部の外側表面が、該溝の下の該基部の該外側表面と比較される場合、所定の距離により外側に延びる該溝の上の外側表面を有し；そして
外側の底部、または外底部が、該基部の該下部表面にわたって延び、該外底部の上部縁が、該溝中に延びる嵌合リッジを有し；該外側の底部は、その周縁で該所定の距離と実質的に等しい厚みを有し、その結果該基部の該外側表面および外底は、該外底の上部縁にて重大な裂け目なく、実質的に連続している、歩行器。
【請求項６】
請求項１に記載の多目的整形外科歩行器であって、ストラップが、該歩行器を患者の脚に保持するために提供され、そして少なくともいくつかの該ストラップが、完全に一体化して成型されたＤリングにより該基体に旋回可能に取り付けられる、歩行器。
【請求項７】
患者の下腿上に取り付けるための多目的整形外科歩行器であって、以下：
高い強度の材料の歩行器基部であって、該歩行器が、
該歩行器基部の対向する側から上に延びる２つのストラットを備え；
該基部が、患者の足を受けるための中央の高められた領域および外側の底部または外底部を受けるための間隔を置いて配置されるより低い実質的に連続した表面を有する、歩行器基部；ならびに
該ストラット支持上に各々取り付けられた第１のストラットおよび第２のストラットであって、
該ストラットが、主な所定の断面形態を有し、該ストラットが、実質的に減少した断面形態を含む可撓性の構造的配置を備え、そして最初の撓み作用および続くさらなるストラット移動の実質的な阻害を提供する分枝ストラット構築物を備える、ストラット
を備える、歩行器。
【請求項８】
請求項７に記載の多目的整形外科歩行器であって、前記ストラットが各々、少なくとも第１の領域および第２の領域において所定の厚みを有し、そして該ストラットが、該第１の領域と該第２の領域との間の実質的に減少した厚みを含む可撓性の構造的配置を備え、異なる解剖学的形態の患者を収容し、そして所定の偏向を超える際の該ストラットの可撓性を減少させるための止め具を備える、歩行器。
【請求項９】
請求項７に記載の多目的整形外科歩行器であって、前記ストラットが、該ストラットの低い耐性の最初の撓みを可能にするための減少した厚みの領域および所定量の角度の偏向に続く撓みに対する耐性を実質的に増加するための止め具を備える、歩行器。
【請求項１０】
請求項７に記載の多目的整形外科歩行器であって、該歩行器が、前記ストラットを前記基部中に固定するための三重のロック構築物を備え、該ロック構築物が、可撓性を有する該ストラットの分枝部分を備える、歩行器。
【請求項１１】
請求項１０に記載の多目的整形外科歩行器であって、前記三重のロック構築物が、２つの可撓性の腕を備える、歩行器。
【請求項１２】
患者の下腿上に取り付けるための多目的整形外科歩行器であって、以下：
高い強度の材料の歩行器基部であって、該基部が、ストラットを受けるための内部に実質的に垂直に延びるスロットを有する２つの上方に延びる側面ストラット支持を備え、該基部が、患者の足を受けるための中央を高められた領域および外側の底部または外底を受けるための間隔を置いて配置されたより低い実質的に連続な表面を有し、該基部が、
その重量を減少させるためにコアが抜かれており、該基部が、その周縁の周りに実質的に延びる周縁の内部に向けられた溝を有し、該基部の該外側表面が、該溝の下の該基部の該外側表面と比較した場合、所定の距離により外側に延びる該溝の上の外側表面を有する、歩行器基部；
外側の底部、または外底部であって、該基部の該下部表面の上に延び、該外底の上部縁が、該溝中に延びる嵌合リッジを有し；該外側の底が、その周縁で該所定の距離と実質的に等しい厚みを有し、その結果、該基部の該外側表面および該外底が、該外底の上部縁での重大な裂け目なく、実質的に連続している、外側の底部；ならびに
第１のストラットおよび第２のストラット、ならびに該ストラットをストラット支持において該スロット中に固定するための三重ロック機構であって、該ストラットが、変動する解剖学的形態を有する患者を収容するための該ストラットの減少した厚みを含む可撓性の構造的配置を備え；
該基部および該ストラットが、ストラップにより該患者に固定されており、
少なくともいくつかの該ストラップが、完全に一体化して成型されたＤリング型取り付けにより該基部に旋回可能に取り付けられている、第１のストラットおよび第２のストラット、ならびに三重ロック機構
を備える、歩行器。
【発明の詳細な説明】
【技術分野】
【０００１】
（発明の分野）
本発明は、下腿、足首または足の骨折またはその他の外傷のような傷害から回復する人々による使用のための、足、足首および下腿を取り囲む整形外科支持ブーツである、整形外科歩行器に関する。このタイプの整形外科製品は、しばしば、「短脚歩行器」と称されている。
【背景技術】
【０００２】
（発明の背景）
脚取り付け整形外科歩行器は周知であり、そしてこのような歩行器を開示している代表的な特許は以下を含む：
米国特許第５，３６８，５５８１号 特許：１９９４年１１月２９日
発明者：Ｚｕｃｋｅｒｍａｎ       題名：足首装具歩行器
米国特許第４，７７１，７６８号   特許：１９８８年９月２０日
発明者：Ｃｒｉｓｐｉｎ           題名：制御された運動の足首骨折歩行器
米国特許第５，０７８，１２８号   特許：１９９２年１月７日
発明者：Ｇｒｉｍら       題名：取り外し可能脚歩行器
米国特許第５，３２９，７０５号   特許：１９９４年７月１９日
発明者：Ｇｒｉｍら       題名：圧力軽減ゾーンを備えた履物
米国特許第５，４６４，３８５号   特許：１９９５年１１月７日
発明者：Ｇｒｉｍ         題名：開放ヒール歩行器
【発明の開示】
【発明が解決しようとする課題】
【０００３】
（発明の要旨）
しかし、公知の先行技術の歩行器は、種々の欠点または不利益に苦しんでいる。
【０００４】
この観点から、いくつかの歩行器の外部は、それらが隣接する目的物または織物上に引っかかり得、かつ美的に感じのよい形態を有さないように不規則である。
【０００５】
通常、歩行器の基部から上方に延びるストラットに関し、（１）それらは、容易に交換可能な長ストラットおよび短ストラットを含まないかも知れず；（２）それらは、異なるサイズの下腿を容易に収容しないかも知れず；（３）基部にこれらストラットを固定するための機構は、永久的であるか、または失敗し易いかのいずれかであり得；（４）これらストラットの可撓性は、実質的に線形であり、そしてそれ故、適切な整形外科支持を提供するには屈曲サイクルの全体で可撓性であり過ぎ得るか、またはユーザーを刺激するように過度に剛直性であり得る。
【０００６】
歩行器基部に関し、いくつかの利用可能な歩行器は、歩行運動の間にヒールの打撃またはその他のショックのような過度のショックを防ぐために、適切な弾力性を有していない。
【０００７】
歩行器基部は、基部の下面に接着された実質的に平坦な外側の底部、または外底を有し得；そしてこれらの実質的に平坦な外底は、基部から剥がれを受けやすい。
【０００８】
ストラップ保持ループまたはＤリングに関し、旋回適用のためにしばしば利用されるこの複数部分のユニットは、しばしば、過度に複雑であり、かつ高価である。
【課題を解決するための手段】
【０００９】
本発明の１つの特定の例示の実施形態によれば、本明細書の上記で概説した欠点を克服する多目的歩行器は、以下の一体的特徴を含む：
１．ストラットは、ストラットのレーザー末端上の３つに分かれた伸長部を用いてスナップ取り付けを基礎に基部に固定されており、２つの外側プロングは、基部中の溝および凹部中に適合するロック機構を構成し、第３の中央プロングは、外側プロングに向かって弾力性により付勢され、その結果、２つの外側プロングをその場にロックするとき、中央プロングは、それらの離脱をブロックする。
【００１０】
２．長ストラットおよび短ストラットの両方が提供され、それらの下部末端上で同一のロック配置を備え、これは、本明細書に上記で概説されたようなタイプであり得る。
【００１１】
３．これらストラットは、安定性を犠牲にすることなく、可撓性を増加し、そして異なる解剖学的形態を収容するための減少した厚みゾーンを備えて提供され得る。減少した厚みゾーンは、上記ストラットの上部末端の下に位置するが、足首関節の少なくとも１〜２インチ上は、中間／側方可撓性またはヒンジ点（ｈｉｎｇｅ  ｐｏｉｎｔ）を提供し得、相対的に大きな下腿をもつ患者を収容する。この中間／側方ヒンジ作用は、減少したストラット厚みによるよりはむしろ、このストラットの長さに沿う物理的ヒンジまたは旋回点によって提供され得る。
【００１２】
４．これらストラットには、基部との接続部か、またはそれらの長さに沿ってのいずれかに、これらストラットの小さな偏向を収容するための初期の容易な偏向を許容するための可変の弾力性機構、および所定の距離または角度より大きい偏向に対する抵抗性を増大するために配置が提供され得る。これらの配置は、ストラット中の減少した厚み、および偏向が所定量を超えるとき係合する止め具を含み得る。
【００１３】
５．これらストラットは、種々のサイズの患者の解剖学的構造を収容するために、ストラットの中央部分にヒンジにより固定され得る、外向きに延びるフラップまたはウィングを有し得る。プラスチックストラットを通じて部分的に延びる、いわゆる「一体のヒンジ」、または減少した厚みのライン、または溝が、ヒンジ機能を提供するために利用され得る。
【００１４】
６．歩行器の外側の底部または外底は、その上表面中に中空またはドーナッツ形状であり得る突出部を含み得、歩行の間に弾力性およびクッション作用を提供する。そして外底は、基部の外側周縁の周りで上方に延び得、そして基部中の嵌合凹部と相互適合する周縁ビードを有し、そして外底と基部との間の接続部で連続的で平滑な外表面を提供する。基部は、歩行器の中央領域で両側面からコアが抜かれ得、そして上部から相対的に小さな凹部が、基部の前部および後部に向かってコアが抜かれ得、歩行器の重量を減少する。この外底は、側方コア開口上を延び、それによって外来物質の侵入を防ぎ、そして感じの良い美的外観を提供する。
【００１５】
７．旋回機能のために利用されるストラップ保持ループまたはＤリングは、一片の鋳型から形成され、一体ピボットピンが、このＤリングを、プラスチック歩行器基部上に旋回可能にロックする。
【００１６】
すべての先行する特徴は、長ストラットまたは短ストラットのいずれかが利用され得、そして異なるタイプの傷害をもつ患者、および異なる解剖学的形態をもつ患者を収容する多目的歩行器の実現に寄与することが理解されるべきである。
【００１７】
いくつかの場合には、基部に固定される分離したストラットを有する代わりに、これらストラットは、基部とともに一体化して成型され得ることがさらに注記される。
【００１８】
新規設計の利点は、装飾的側方キャップをなくすること、プラスチック基部への増加した外底接着、水、泥およびゴミへの抵抗性、増加した表面接触および握る作用、外底とプラスチック基部との間の増加した弾力性、および外底とプラスチック基部との平滑な外表面嵌合から生じる改良された美的外観を含む。基部の外底の上方伸長部、および相互適合凹部および溝はまた、基部からの外底の剥離を防ぐ。足首および下腿のサイズにおける変動は、一体のヒンジにより、および予備設定された角度の限度内の増加した可撓性により収容される。安全性は、上記ストラットとプラスチック基部との間の三重のロック嵌合配置により確実にされる。最後に、旋回作用を提供し得る一体成型ｄリングの使用により、歩行器構造の単純化により、および異なる解剖学的形態のための異なる歩行器形態の必要性を避けることにより、コストが減少される。
【００１９】
その他の目的、特徴および利点は、以下の詳細な記載を考慮することから、および添付の図面から明らかになる。
【発明を実施するための最良の形態】
【００２０】
（好適な実施形態の詳細な説明）
図面をより詳細に参照して、図１は、本発明の原理を示す歩行器３２の斜視図である。図１の歩行器は、工作されたプラスチック基部部材３４、その１つが参照３６で見えている２つのストラット、および外側の底部または外底３８を含む。このプラスチック基部３４は、例えば、ガラスファイバー充填ナイロンから形成され得るが、その他の高強度プラスチック、または、例えば粉末でコートされ得るアルミニウムのようなその他の材料が利用され得る。１／４インチ厚さの弾力性発泡体から形成され得る弾力性の層４０は、足とプラスチック基部３４の上表面との間のクッションを提供する。さらなるひざ当て４２が、患者の足、足首および下腿の周りに延びる。このひざ当て４２は、ストラット３６を含むストラット間の場所に、Ｖｅｌｃｒｏ（登録商標）タイプのフックおよびループ材料により保持され、フックタイプの材料は、これらストラットの内表面に沿って延び、そして上記ひざ当て４２は、その外表面上に嵌合ループ材料を有するか、またはフックタイプ材料と固有に嵌合するタイプの織物であり得る。
【００２１】
ちなみに、図面の図１〜図６は、２００２年７月２３日に出願され、そして「弾力性整形外科歩行器の上部および側部」と題する意匠特許出願の最初の６つの図と実質的に同じであることが注記される。
【００２２】
図面の図１の説明を続けて、このストラップ５１〜５５は、患者のひざ当てをした足、足首および下腿の周りを延びる。それらは、ストラット３６中のスロット４４のようなスロットにより、またはＤリング４６または旋回したＤリング４８のようなＤリングにより基部３４およびストラットに固定される。これらストラップは、それらの重複表面上の嵌合フックおよびループ材料が提供され、その結果、それらは容易に調節可能である。一体に形成されたＤリング４８は、本明細書で以下により詳細に論議される。
【００２３】
ストラット３６は、領域６２で厚みが減少し、このストラットの可撓性を増大し、大きな下腿をもつ患者を容易に収容する。しかし、整形外科的安定性および支持を確実にするために、止め具機構６４が提供される。本明細書で以下により詳細に開示されるように（図１７を参照のこと）、この止め具機構６４は、狭いスペースによって離れて間隔を置かれる２つの表面を有する。従って、歩行器が大きな下腿をもつ人に適合しているとき、このストラット３６の上部分は、容易に外方に撓み得る。しかし、使用において、このストラット３６が、好ましくは、少なくとも１５度に等しいが３０度よりは小さい、所定の距離または角度を超えて撓み得る場合、参照番号６４におけるこの２つの間隔を置いて配置された表面は係合し、そしてさらなる偏向に対してかなりより高い耐性、および脚に対する増加した支持が存在する。
【００２４】
ストラップ５１および５２に関して、これらのストラップは、各々Ｄリングに永続的に固定される１つの末端を有し、ストラップ５２に対するＤリング６６が見える。ストラップ５１および５２の自由端は、Ｄリング４８および４６を各々通り、続いてフックおよびループ固定材料によってストラップの表面に面して折りたたまれ、係合する。他のストラップ５３、５４および５５は、ストラット中のスロットおよび／またはストラットの外側表面上でフックおよびループ材料で、一般に従来の様式でアセンブリの周りに同様に延びて所定の位置にストラップを保持する。
【００２５】
図２〜７は、図１に示されるような歩行器の種々の図であり、図７は、増大した摩擦および牽引のための外側の底部または外底部３８のパターン化された底部層を示す。この外底部は、粘着剤によりプラスチック基部３４に結合され、そして外底部は、プラスチック基部の側面の周りおよび上に延びる。
【００２６】
図面の図８および図９に有利に示されるように、外底部３８の上部縁は、基部中の嵌合周縁凹部７４で連結するリッジ７２を有する。この形態は、牽引を増大し、基部からの外底部の層間剥離を阻止する。示されるような単純なリッジおよび溝の代わりに、より複雑な相互連結構造が、利用され得る；そしてリッジおよび溝が、入れかえられ得る。
【００２７】
図面の図８および図９を参照して、薄い中心ウェブに向かって内部に延びるコアを抜かれた開口部７６およびコア７８が、明らかに示される。図面の図１、２および４を参照して、外底３８が、コアを抜かれた開口部７６への入口を覆うことに留意のこと。これは、泥または他の外部の物質の進入を防ぐ利点を有する。
【００２８】
周縁凹部７４のちょうど上の領域８０における歩行器基部３４の外側の伸長部が、外底３８の厚みと等しい所定の厚みにより、凹部７４のちょうど下の領域８２における外側の伸長部よりも大きいことがまた、留意され得る。この形態は、外底３８が基部３４と嵌合する領域における滑らかな外側を示し、患者が歩く際に対象をつかみ得る突出部を避ける利点を有し、また美的に感じの良い外観を示す。この形態はまた、コアを抜かれた領域７６の末端を閉めるためのさらなる成分の必要性を避ける。
【００２９】
図１０は、外底３８の上部平面図であり、図１０に示されるように左側がヒール領域であり、右側がつま先領域である。これは、外底３８の内部の図であり、多くの数の中空のドーナツ形突出部９０を備え、壁またはリッジ９２が上方に延びる。これらの突出部および壁は、外底３８の連続的な下にある表面から上方に延びる；そしてこれらは、特にヒール領域にさらなる弾力性を提供し、このヒール領域で、歩行一跨ぎののヒールストライク部分が、別の方法で患者の損傷した下腿または足への緩衝器を提供する。閉鎖された壁突出部が、外底の下部部分と基部３４の嵌合する表面との間の空気をトラップし、これにより外底によって提供される弾力性および浮揚性を増大する。外底３８が、好ましくは基部３４に粘着して結合されることがまた、留意される。
【００３０】
図１１は、図１の歩行器の側面図であり、ひざ当てストラップおよびＤリングが、取り除かれている。前に述べられたこととは別に、ライン９４は、ストラット３６と歩行器基部３４との間の嵌合表面を表す。
【００３１】
図１２は、長いストラットの内部の平面図であり、これは、例として限定されないで、約１３インチ長である。これは、開口部またはスロット４４および凹部９６を備え、アセンブリの重量を減少する。添付の図面の以前の図に示されたように、スロット４４は、歩行器を患者に固定して保持するためのストラップ（例えば、ストラップ５５）を受ける。
【００３２】
添付の図面の図１３に示される短いストラット１０２は、約６と１／２インチ長であり、その側面に延びるウィング１３２および１３４は、約４と１／２インチ幅である。
【００３３】
長いストラット３６の下部末端は、３つのプロング、すなわち２つの外側プロングおよび中央のロックプロング１０６を備える３重ロック機構を有する。短いストラット１０２は、２つの外側プロング１０４’および中央ロックプロング１０６’を備える同一の３つのプロングロック機構を有する。
【００３４】
図１４は、ストラットの下部末端のロック機構の斜視図である。３つのロックプロング１０４、１０６に加えて、これらのストラットは、ストラット支持における長手軸の溝またはスロット１１０と嵌合する２つの薄い外側に延びる長手軸フランジ１０８を有する（図１５を参照のこと）。付随的に、プロング１０４、１０６がフランジ１０８より厚いことが図１４から留意され得、その結果、図１５に示されるように、プロング１０４の末端は、溝またはスロット１１０中で滑走しないが、これらのスロット１１０の外側縁上に乗る。付随的に中央ロックプロング１０６の中央部分１１２は、大きく厚みが減少しており、その結果これは、図１４の矢印１１４により示されるように、ストラットの平面に対して垂直の方向で容易に屈曲し得る。
【００３５】
図１５は、フランジ１０８がスロットまたは溝１１０と嵌合することで、ストラット３６が部分的に基部３４内に構築されることを示す。外側プロング１０４は、内側にひどく屈曲し、中央ロックプロング１０６は、紙面から上向きに屈曲される。このロックショルダー１１４は、外側プロング１０６の外側に延びる表面１１６を受けるように利用される（図１４を参照のこと）。
【００３６】
プロング１０４がロックショルダー１１４上にロックされる表面１１６を有する、ストラット３６の完全にロックされた配置が、図１６に示される。最後のロック工程は、中央ロックプロング１０６を外側プロング１０４の間の間隔中にしっかりと押すことにより達成され、その結果その外側に延びる突出部１１６（図１４を参照のこと）は、外側プロング１０４の直面する表面（ｆａｃｉｎｇ  ｓｕｒｆａｃｅ）上の凹部と連結する。
【００３７】
上に示されるように、長い歩行器と短い歩行器の両方は、同一のロック機構を有し、いずれの型の歩行器も、共通の基部、および所望の長いストラットまたは短いストラットを使用して形成され得る。
【００３８】
ここで注意を図１７に向けると、図１７は、図面の図３および図１１とともに考えられるべきである。上に述べられるように、ストラット（例えば、ストラット３６）は、領域６２において薄くされ得、可撓性を増大し、異なるサイズの下腿を有する患者を容易に収容する。しかし、矢印１２２により指示される方向の偏向に続いて、表面１２４、１２６は、係合し、そして所望される整形外科用構造支持を提供する。最初の可撓性ならびに続く増大した堅さおよび減少した可撓性の両方の組み合わせは、異なるサイズの下腿を収容し、そしてまた所望される整形外科用支持を提供する。
【００３９】
ここで図１３の短い歩行器ストラットおよび図１３の平面１８−１８に沿う図１８の断面図を参照して、短いストラット１０２は、垂直に延びる薄い（ｗｅａｋｎｅｓｓ）ラインまたはいわゆる「一体のヒンジ」１３６を有する、側面に延びるウィング１３２および１３４を備える。実際には、２つのストラット（例えば、ストラット１０２）は、図１〜６に示される型の足首の周りのひざ当てを有する、歩行器基部上に取り付けられるが、幾分短く、ストラットの高さと釣り合う。ストラップが、ストラットおよび好ましくはフックおよびループ原理を使用するひざ当てに取り付けられる；そして短いストラット上のウィング１３２、１３４が撓んで、患者の足および足首のサイズに適合する閉鎖支持を作製する。
【００４０】
図１９および図２０は、図面の図１の４８に示される型の一体化して成型された旋回Ｄリングに関する。図１９において、「Ｄリング」４８は、ストラップならびに２つの一体化して成型されたフラップ１４４および１４６を受けるための開口部１４２を有する。フラップ１４４は、その上に形成された一体化して成型された旋回ピン１４８を有する；そしてフラップ１４６は、変動可能なサイズ開口部１５０を有する。図２０に示されるように、開口部１５０は、外側に向けられたカットを有し、その結果ピン１４８の丸いヘッド１５２は、穴を通ってパチンとはまる。次いで、この穴の側面壁は、はね返ってピンの減少した直径部分に係合し、ピンをその閉じた位置で保持し、通常図面の図１に示されるような外科整形用歩行器または支持において穴中にロックされる。
【００４１】
閉鎖の際、本発明の特定の実施形態が、図面において示され、本明細書中上記に詳細に記載されたことが留意される。種々の変化および改変が、本発明の精神および範囲から離れることなくなされ得ることが理解される。従って、例として限定ではなく、リブ７２および凹部７４の位置は、外底の周縁の基部および凹部上のリブと逆にされ得る。また、ロック機構上の外側プロングは、より薄く作製されて基部のストラット支持上の溝またはスロット中に適合し得る。さらに、ファイバーガラスを混ぜられたナイロンの使用に対する１つの代替物として、ストラットは、プラスチックで覆われて成型されたアルミニウムから形成され得る。別の領域において、ストラット可撓性を減少するための止め具が、２つの嵌合止め具表面の１つが基部上にあり、もう一方の止め具表面がストラット上にあり、ストラット−基部の連結が幾分可撓性であるような、ストラットと基部との間の連結に含まれる。さらに、外底は、外底を有する基部の底を覆って成型することにより、そして基部中の開口部または凹部への外底連結を有することにより、歩行器基部に永続的に付着され得る。また、長いまたは短いのいずれかのストラットは、スロットを備え得るか、またはストラップを受けるための一体化して成型された外側に延びるＤリング型構造を備え得る。従って、本発明は、図面に示される特定の実施形態に限定されず、本明細書中上記に記載される特定の実施形態に限定されない。
【図面の簡単な説明】
【００４２】
【図１】図１は、本発明の原理を示す整形外科歩行器の斜視図である。
【図２】図２は、図１の歩行器の左側立面図である。
【図３】図３は、図１の歩行器の前側立面図である。
【図４】図４は、図１の歩行器の右側立面図である。
【図５】図５は、図１の歩行器の後側立面図である。
【図６】図６は、歩行器の平面図である。
【図７】図７は、歩行器の底面図である。
【図８】図８は、歩行器基部から間隔を置いて配置された外側の底部または外底を備えた歩行器の部分分解側面図である。
【図９】図９は、歩行器基部と外底との間の平滑な相互適合を示す部分断面図である。
【図１０】図１０は、外底の平面図である。
【図１１】図１１は、ストラップおよびひざ当てが除去された歩行器の側面立面図である。
【図１２】図１２は、完全な歩行器から分離して示される長ストラットの側面図である。
【図１３】図１３は、損傷が足首または下腿骨の下部末端に限定されるとき、利用され得る短ストラットの内側からの図である。
【図１４】図１４は、ストラットのための３つのプロングロック機構の斜視図である。
【図１５】図１５は、基部に部分的にアセンブルされたストラットを示す断片的なアセンブリの図である。
【図１６】図１６は、図１５と類似であるが、完全にアセンブリされ、かつロックされたストラットロック機構を示す。
【図１７】図１７は、増加した可撓性および制限止め具配置のための、減少した断面を示す長ストラットの１つの部分断面図である。
【図１８】図１８は、可撓性のヒンジラインを示すより短いストラットの１つの横断面である。
【図１９】図１９は、一体旋回「Ｄリング」の斜視図である。
【図２０】図２０は、図１９のＤリングの部分立面図である。
【図１】
2005533558.tif 000003
【図２】
2005533558.tif 000004
【図３】
2005533558.tif 000005
【図４】
2005533558.tif 000006
【図５】
2005533558.tif 000007
【図６】
2005533558.tif 000008
【図７】
2005533558.tif 000009
【図８】
2005533558.tif 000010
【図９】
2005533558.tif 000011
【図１０】
2005533558.tif 000012
【図１１】
2005533558.tif 000013
【図１２】
2005533558.tif 000014
【図１３】
2005533558.tif 000015
【図１４】
2005533558.tif 000016
【図１５】
2005533558.tif 000017
【図１６】
2005533558.tif 000018
【図１７】
2005533558.tif 000019
【図１８】
2005533558.tif 000020
【図１９】
2005533558.tif 000021
【図２０】
2005533558.tif 000022
【国際調査報告】
2005533558.tif 000023